(57)【要約】【課題】異種又は同種で物性の異なる複数の樹脂からなる複数の繊維を精度良く安定的に混繊紡糸して高機能繊維製品を得ることができ、かつ、製造が容易で製造コストを低く抑え、さらにメンテナンス性にも優れたメルトブローン用紡糸口金装置を提供する【解決手段】異種又は同種で物性の異なる複数の樹脂の溶融液Ａ、Ｂが供給される供給孔２０、２１を有する樹脂供給ダイ１０と、供給孔２０、２１に連通しかつ互いに離隔してほぼ平行に延びる導入孔２２、２３、及び導入孔２２、２３に連通しかつ複数の樹脂の溶融液Ａ、Ｂを吐出して紡糸する複数の紡糸孔２４を有する口金１１と、を備えることを特徴とする、複数の樹脂からなる複数の繊維を混繊して繊維製品を作製するためのメルトブローン用紡糸口金装置１。【選択図】  図１
2015014065.tif 000002
【特許請求の範囲】
【請求項１】
異種又は同種で物性の異なる複数の樹脂からなる複数の繊維を混繊して繊維製品を作製するためのメルトブローン用紡糸口金装置であって、
前記複数の樹脂の溶融液が供給される複数の供給孔を有する樹脂供給ダイと、
前記供給孔に連通しかつ互いに離隔してほぼ平行に延びる複数の導入孔、及び前記導入孔に連通しかつ前記複数の樹脂の溶融液を吐出して紡糸する複数の紡糸孔を有する口金と、を備えることを特徴とするメルトブローン用紡糸口金装置。
【請求項２】
前記口金は、前記複数の紡糸孔及び凹部を有する口金本体と、前記複数の導入孔を有し、前記凹部に着脱可能に収納される分配部材と、を備える請求項１に記載のメルトブローン用紡糸口金装置。
【請求項３】
前記樹脂供給ダイにおける前記口金との境界面、及び前記口金における前記樹脂供給ダイとの境界面の少なくとも一つの境界面に設けられる、前記供給孔から供給される前記複数の樹脂の溶融液を所定の前記導入孔に分配する第１の溶融液分配路を備える請求項１又は２に記載のメルトブローン用紡糸口金装置。
【請求項４】
前記分配部材における前記口金本体との境界面、及び前記口金本体における前記分配部材との境界面の少なくとも一つの境界面に設けられる、前記導入孔から導入される前記複数の樹脂の溶融液を所定の前記紡糸孔に分配する第２の溶融液分配路を備える請求項２に記載のメルトブローン用紡糸口金装置。
【請求項５】
前記樹脂供給ダイにおける前記口金との境界面、及び前記口金における前記樹脂供給ダイとの境界面の少なくとも一方に設けられる、前記複数の樹脂の溶融液を合流させる合流手段を備える請求項１に記載のメルトブローン用紡糸口金装置。
【請求項６】
前記樹脂供給ダイにおける前記分配部材との境界面、前記分配部材における前記樹脂供給ダイとの境界面、前記分配部材における前記口金本体との境界面、及び前記口金本体における前記分配部材との境界面の少なくとも一つの境界面に設けられる、前記複数の樹脂の溶融液を合流させる合流手段を備える請求項２に記載のメルトブローン用紡糸口金装置。
【請求項７】
前記合流手段が設けられた前記境界面に、前記合流手段と混在するように設けられる、前記複数の樹脂の溶融液の合流を阻止する合流阻止手段を備える請求項５又は６に記載のメルトブローン用紡糸口金装置。
【請求項８】
前記合流手段が設けられた前記境界面以外の前記境界面に設けられる、前記供給孔から供給される前記複数の樹脂の溶融液を所定の前記導入孔に分配する第１の溶融液分配路又は前記導入孔から導入される前記複数の樹脂の溶融液を所定の前記紡糸孔に分配する第２の溶融液分配路を備える請求項５〜７のいずれか一項に記載のメルトブローン用紡糸口金装置。
【発明の詳細な説明】
【技術分野】
【０００１】
本発明は、異種又は同種で物性の異なる複数の樹脂からなる複数の繊維を混繊して不織布等の繊維製品を作製するためのメルトブローン用紡糸口金装置に関する。
【背景技術】
【０００２】
不織布等の繊維製品の代表的な製造方法の一つとして、メルトブローン紡糸法が知られている。メルトブローン紡糸法によれば、長手方向に所定の間隔を空けて直線状に配列された複数の紡糸孔を有する口金と、口金の両側に設けられる熱風噴射スリットと、捕集用ネットとを備えるメルトブローン用紡糸口金装置を用い、樹脂溶融液を複数の紡糸孔から吐出して紡糸（繊維化）し、得られた繊維に熱風を噴射して延伸した後、該繊維を捕修用ネット上に集積することにより、不織布が製造される。メルトブローン紡糸法は、繊維径１０μｍ以下の極細繊維を得ることができ、また紡糸と不織布の製造とを連続して実施することが可能であることから、生産効率が高いといった数々の利点を有している。
【０００３】
また、最近では、メルトブローン紡糸法の特徴を活かしつつ、より高機能な不織布を製造するために、例えば、ポリプロピレンやポリエチレンテレフタレートといった異種の樹脂からなる複数の繊維や同種で溶融液の粘度等の物性が異なる複数の樹脂からなる複数の繊維を同時に紡糸して混繊するメルトブローン混繊紡糸法が以前にも増して注目を集めている。
【０００４】
従来から、種々のメルトブローン用紡糸口金装置が提案されている。例えば、特許文献１及び特許文献２は、樹脂溶融液を吐出して紡糸する複数の紡糸孔と、紡糸孔に連通し、異なる２種の樹脂溶融液を交互に重層貯留する１本の導入孔と、を有する口金を備えるメルトブローン用紡糸口金装置を開示する。該装置によれば、断面視がサイドバイサイド（二層）型又はシースコア（芯鞘）型である繊維が得られる。しかしながら、該装置を用いても、紡糸孔毎に吐出される繊維の材質（樹脂種）を変更して、異なる樹脂からなる複数の繊維を混繊することはできない。
【０００５】
特許文献３は、断面視がほぼ逆三角形状であり、逆三角形状の下側の頂角が先端部となる口金板であって、該口金板の中心線に対して線対称の位置に設けられ、異なる２種の樹脂の溶融液を貯留する２つの供給孔（液溜り室）と、一端が一方又は他方の供給孔に連通し、供給孔の位置から中心線に近接するように斜め方向に延びる２本の導入孔とをその内部に有し、その先端部には、導入孔に連通し樹脂溶融液を吐出して紡糸する紡糸口が設けられた口金板を備えるメルトブローン用混繊紡糸口金装置を開示している。
【０００６】
特許文献３には、口金板の先端部の幅を導入孔の径よりも大きくすることにより、紡糸口から吐出された繊維状の進行方向が斜め方向から鉛直方向に変わり、かつ該繊維を構成する樹脂溶融液が少し固化した状態で該繊維が高速気流と接触するので、糸切れやショットが無い混繊紡糸が可能になると記載されている。しかしながら、該装置における繊維の紡糸方向（樹脂溶融液の吐出方向）はあくまでも斜め方向であることから、口金板先端部直下での繊維の進行方向及び高速気流に伴う随伴気流の方向はいずれも異なる上に、前記中心線に対して対称でもない。従って、口金板先端部では乱気流が発生しやすく、十分に延伸されないうちに繊維間で融着を起こし繊維塊が発生しやすいという課題がある。
【０００７】
特許文献４は、凹部、凹部に連通する紡糸導入孔、及び紡糸導入孔に連通する紡糸孔を有する口金板と、側面から底面にかけて互いに離隔して斜め方向に延びる２つの導入溝を有し、口金の凹部に収納される分配部材と、口金板上部の幅方向両側において口金板の凹部内壁面と分配部材側壁面とで囲まれ、各導入溝に連通するように設けられる２つの供給溝と、を備えるメルトブローン用紡糸口金装置を開示する。該装置では、各供給溝に異なる２種の樹脂溶融液が供給され、これらの樹脂溶融液は導入溝及び紡糸導入孔を介して紡糸孔から吐出され紡糸される。また、特許文献４には、該装置における導入溝の形状を変えることにより、混繊のパターンを変更できると記載されている。
【０００８】
しかしながら、該装置には、供給溝での樹脂溶融液の流れが導入溝での樹脂溶融液の流れよりも遅くなるので、樹脂溶融液が必然的に供給溝内に滞留し、樹脂が劣化し易くなるという課題がある。樹脂の劣化は、得られる繊維の特性、品質、外観などを低下させるおそれがある。また、特許文献４は導入溝を分配部材の上部まで延長して、樹脂溶融液を導入溝に直接供給する実施形態を含んでいる。この実施形態では、口金板の凹部の全内壁面と分配部材の導入溝が形成された箇所を除く全側壁面とを隙間なく密着させることが要求される。しかしながら、口金板及び分配部材が共に一方向に長い部材であり、両者の密着させる面の面積が大きいため、実際の加工は非常に困難であり、加工コストを増大させると共に、隙間が残存するのを避けることができない。この隙間には樹脂溶融液が流れ込んで滞留し、原料の歩留まりを低下させる。また、隙間に滞留して劣化した樹脂を含む溶融液が導入溝を介して又は直接紡糸導入孔及び紡糸孔に流入し、小径孔である紡糸孔を目詰まりさせるおそれがある。
【先行技術文献】
【特許文献】
【０００９】
【特許文献１】特開昭６０−９９０５７号公報
【特許文献２】特開昭６０−９９０５８号公報
【特許文献３】特許第２８４７２６６号公報
【特許文献４】特許第３３６０３７７号公報
【発明の概要】
【発明が解決しようとする課題】
【００１０】
そこで、本発明が前述の状況に鑑み、解決しようとするところは、異種の又は同種で物性の異なる複数の樹脂からなる複数の繊維を精度良く安定的に混繊紡糸して高機能繊維製品を得ることができ、かつ、製造が容易で製造コストを低く抑え、さらにメンテナンス性にも優れたメルトブローン用紡糸口金装置を提供する点にある。
【課題を解決するための手段】
【００１１】
本発明者らは、かかる現況に鑑み、鋭意検討した結果、メルトブローン用紡糸口金装置において、外部から樹脂溶融液の供給を受ける複数の供給孔を設けると共に、該供給孔と樹脂溶融液を吐出して紡糸する紡糸孔とを繋ぐ導入孔として、口金内部において互いに離隔してほぼ平行に延びる複数の導入孔を設け、複数の供給孔から複数の導入孔に複数の樹脂の溶融液が供給されるように構成することにより、本発明の目的に叶うメルトブローン用紡糸口金装置が得られることを見出し、本発明を完成するに至った。
【００１２】
すなわち本発明は、異種又は同種で物性の異なる複数の樹脂からなる複数の繊維（以下、単に「複数の樹脂」とする）を混繊して繊維製品を作製するためのメルトブローン用紡糸口金装置であって、複数の樹脂の溶融液が供給される複数の供給孔を有する樹脂供給ダイと、供給孔に連通しかつ互いに離隔してほぼ平行に延びる複数の導入孔、及び導入孔に連通しかつ複数の樹脂の溶融液を吐出して紡糸する複数の紡糸孔を有する口金と、を備えることを特徴とするメルトブローン用紡糸口金装置を構成した。
【００１３】
本発明のメルトブローン用紡糸口金装置において、口金は、複数の紡糸孔及び凹部を有する口金本体と、上記複数の導入孔を有し、口金本体の凹部に着脱可能に収納される分配部材と、を備えるように構成することが好ましい。
【００１４】
本発明のメルトブローン用紡糸口金装置において、樹脂供給ダイにおける口金との境界面、及び口金における樹脂供給ダイとの境界面の少なくとも一つの境界面に設けられる、供給孔から供給される複数の樹脂の溶融液を所定の導入孔に分配する第１の溶融液分配路を備えていることが好ましい。
【００１５】
本発明のメルトブローン用紡糸口金装置において、分配部材における口金本体との境界面、及び口金本体における分配部材との境界面の少なくとも一つの境界面に設けられる、導入孔から導入される複数の樹脂の溶融液を所定の紡糸孔に分配する第２の溶融液分配路を備えていることが好ましい。
【００１６】
別形態のメルトブローン用紡糸口金装置は、樹脂供給ダイにおける口金との境界面、及び口金における樹脂供給ダイとの境界面の少なくとも少なくとも一つの境界面に設けられる、複数の樹脂の溶融液を合流させる合流手段を備えていることが好ましい。さらに別形態のメルトブローン用紡糸口金装置は、樹脂供給ダイにおける分配部材との境界面、分配部材における樹脂供給ダイとの境界面、分配部材における口金本体との境界面、口金本体における分配部材との境界面の少なくとも一つの境界面に設けられる、複数の樹脂の溶融液を合流させる合流手段を備えていることが好ましい。
【００１７】
別形態のメルトブローン用紡糸口金装置において、合流手段が設けられた境界面に、合流手段と混在するように設けられる、複数の樹脂の溶融液の合流を阻止する合流阻止手段を備えていることがさらに好ましい。
【００１８】
別形態のメルトブローン用紡糸口金装置において、合流手段又は合流手段と合流阻止手段とが設けられた境界面以外の境界面に設けられる、供給孔から供給される複数の樹脂の溶融液を所定の導入孔に分配する第１の溶融液分配路又は導入孔から導入される複数の樹脂の溶融液を所定の紡糸孔に分配する第２の溶融液分配路を備えていることが好ましい。
【発明の効果】
【００１９】
以上にしてなる本願発明によれば、複数の樹脂の溶融液が供給される複数の供給孔を有する樹脂供給ダイと、供給孔に連通しかつ互いに離隔してほぼ平行に延びる複数の導入孔、及び導入孔に連通しかつ複数の樹脂の溶融液を吐出して紡糸する複数の紡糸孔を有する口金と、を備えるようにメルトブローン用紡糸口金装置を構成することにより、複数の導入孔への複数の樹脂の溶融液の振り分けが容易になり、導入孔内の樹脂溶融液の流れる方向と紡糸孔から樹脂溶融液が吐出される方向とがほぼ一致するように導入孔を設けることが可能になり、さらに紡糸孔から吐出された樹脂溶融液に対してほぼ対称な方向から繊維を延伸させる気体を噴射できることから、繊維間の融着に伴う繊維塊の発生や繊維径の不揃い、繊維内部への空気の噛み込み等を起こすことなく、精度良くかつ安定的な混繊を実現でき、様々な機能が付与され、高機能化された不織布等の繊維製品を製造できる。さらに、複数の樹脂の溶融液が口金内部をほぼ一方向に流れるように構成できることから、樹脂の溶融液の滞留、及びそれに伴う樹脂の劣化が顕著に抑制され、原料ロスや紡糸孔の目詰まりを防止できる。
【００２０】
また、該構成において口金は、その先端部に複数の紡糸孔を有すると共に、複数の導入孔が互いに離隔してほぼ平行にその内部を貫通するという要件を満たすだけで良いことから、口金の形状自由度が高まり、口金を製造が容易な形状に設計できるので、その製造が容易で製造コストを低く抑えることができる。
【００２１】
本発明では、複数の紡糸孔及び凹部を有する口金本体と、複数の導入孔を有し、口金本体の凹部に着脱可能に収納される分配部材と、よりなる口金を構成し、かつ、供給孔から分配部材内部を通る導入孔に樹脂溶融液を供給するように構成することにより、口金本体の凹部と分配部材との間に多少の隙間が空いていても、その隙間に樹脂溶融液が流入することがないので、口金本体及び分配部材の設計自由度が顕著に高まる。その結果、口金本体（特にその凹部）及び分配部材を、直交する平面を多用した加工が容易な立体形状とすることができ、製造コストのさらなる低減化を達成できる。さらに、分配部材は口金本体の凹部に対して着脱可能に構成できるので、メンテナンス性が顕著に向上する。
【００２２】
本発明では、樹脂供給ダイにおける口金との境界面、及び口金における樹脂供給ダイとの境界面の少なくとも一つの境界面に、供給孔から供給される複数の樹脂の溶融液を所定の導入孔に分配する第１の溶融液分配路を設けるように構成することにより、供給孔から導入孔への樹脂溶融液の振り分けをさらに容易にかつさらに円滑に実施することができ、所定の混繊パターンで複数の樹脂からなる複数の繊維を紡糸して、得られる繊維製品中における複数の繊維の配置やそれぞれの含有量等を調整することができ、所定の特性や外観を有する繊維製品を作製することができる。
【００２３】
本発明では、分配部材における口金本体との境界面、及び口金本体における分配部材との境界面の少なくとも一つの境界面に、導入孔から導入される複数の樹脂の溶融液を所定の紡糸孔に分配する第２の溶融液分配路を設けることにより、複数の樹脂からなる複数の繊維の混繊パターンを自在に変更できるようになり、所定の特性や外観を有する繊維製品を容易に作製できる。
【００２４】
また本発明では、上記樹脂供給ダイ、及び口金と共に、樹脂供給ダイにおける口金との境界面、及び口金における樹脂供給ダイとの境界面の少なくとも一つの境界面に設けられる、複数の樹脂の溶融液を合流させる合流手段を備える別形態のメルトブローン用紡糸口金装置や、上記樹脂供給ダイ、及び口金本体と分配部材とよりなる口金と共に、樹脂供給ダイにおける分配部材との境界面、分配部材における樹脂供給ダイとの境界面、分配部材における口金本体との境界面、及び口金本体における分配部材との境界面の少なくとも一つの境界面に設けられる、上記合流手段を備える別形態のメルトブローン用紡糸口金装置を構成することにより、複数の樹脂からなるサイドバイサイド型繊維を紡糸することが可能になり、さらに、複数の樹脂からなりかつ含有する樹脂種の異なる複数のサイドバイサイド型繊維を混繊することが可能になり、得られる繊維製品に別の機能を付与することができる。例えば、固化温度の異なる複数の樹脂溶融液を用いた場合、一方が固化した後に他方が固化するので、カールして嵩高くなったサイドバイサイド型繊維が得られる。
【００２５】
別形態のメルトブローン用紡糸口金装置において、合流手段が設けられた境界面に、合流手段と共に、複数の樹脂の溶融液の合流を阻止する合流阻止手段を備えるように構成することにより、単一の樹脂種からなる繊維とサイドバイサイド型繊維との混繊が可能になり、得られる繊維製品にさらに別の機能を付与することができる。
【００２６】
別形態のメルトブローン用紡糸口金装置において、合流手段又は合流手段と合流阻止手段とが設けられた境界面以外の境界面に、上記第１の溶融液分配路及び／又は上記第２の溶融液分配路を備えるように構成することにより、得られる繊維製品中における、複数の樹脂からなりかつ含有する樹脂種の異なる複数のサイドバイサイド型繊維や単一の樹脂種からなる繊維の組み合わせ、配置や含有量等を適宜調整することが容易になり、種々の特性や外観を有する繊維製品を容易に得ることができる。
【図面の簡単な説明】
【００２７】
【図１】本発明の第１実施形態であるメルトブローン用紡糸口金装置の要部の構成を模式的に示す断面図である。
【図２】第１の溶融液分配路の構成を模式的に示す上面図である。
【図３】第１の溶融液分配路の変形例の構成を模式的に示す上面図である。
【図４】別形態の分配部材の構成を模式的に示す上面図である。
【図５】分配部材の導入孔と口金板の紡糸孔との接続を模式的に示す図面である。
【図６】分配部材の導入孔と口金板の紡糸孔との別形態の接続を模式的に示す図面である。
【図７】別形態の第２の溶融液分配路の構成を模式的に示す断面図である。
【図８】本発明の第２実施形態であるメルトブローン用紡糸口金装置の要部の構成を模式的に示す断面図である。
【図９】本発明の第３実施形態であるメルトブローン用紡糸口金装置の要部の構成を模式的に示す断面図である。
【図１０】本発明の第４実施形態であるメルトブローン用紡糸口金装置の要部の構成を模式的に示す断面図である。
【図１１】本発明の第５実施形態であるメルトブローン用紡糸口金装置の要部の構成を模式的に示す断面図である。
【発明を実施するための形態】
【００２８】
次に、本発明の実施形態を添付図面に基づき詳細に説明する。
【００２９】
図１は、本発明の第１実施形態であるメルトブローン用紡糸口金装置１の要部の構成を模式的に示す断面図である。メルトブローン用紡糸口金装置１は一方向に長い装置であって、図１は幅方向の断面図である。図２は、図１に示すメルトブローン用紡糸口金装置１に備わる分配部材１２の樹脂供給ダイ１０との境界面（導入孔入口側表面１２ａ）に設けられる第１の溶融液分配路２６の構成を模式的に示す上面図である。図３は、第１の溶融液分配路の変形例２６Ａ〜２６Ｄの構成を模式的に示す上面図である。図４は、別形態の分配部材１２Ｃの構成を模式的に示す上面図である。図５は分配部材１２の導入孔２２、２３と口金本体１１の紡糸孔２４との接続を模式的に示す図面である。図６は分配部材１６の導入孔２２、２３と口金本体１１の紡糸孔２４との別形態の接続を模式的に示す図面である。図７は口金本体１１と分配部材１２との境界面に設けられる別形態の第２の溶融液分配路２８の構成を模式的に示す断面図である。
【００３０】
図１に示すメルトブローン用紡糸口金装置１は、外部から樹脂溶融液Ａ、Ｂの供給を受ける複数の供給孔２０、２１を有する樹脂供給ダイ１０と、断面視がほぼＴ字状である凹部２５及び樹脂溶融液Ａ、Ｂを吐出して紡糸する複数の紡糸孔２４を有する口金本体１１と、断面視ほぼＴ字状であり、口金本体１１の凹部２５に隙間なく嵌入される分配部材１２であって、一端が供給孔２０、２１に連通しかつ他端が複数の紡糸孔２４に連通し、互いに離隔してほぼ平行に延び、供給孔２０、２１から供給された樹脂溶融液Ａ、Ｂを紡糸孔２４に導入する複数の導入孔２２、２３がその内部に設けられている分配部材１２と、口金本体１１の紡糸孔２４から吐出される樹脂溶融液Ａ、Ｂからなる繊維に対して所定角度から熱風を供給し該繊維を延伸する熱風噴射スリット１３、１４と、熱風噴射スリット１３、１４のスリット幅を調整するスリット幅調整板１５と、熱風噴射スリットに熱風を供給する熱風発生手段（不図示）と、延伸後の繊維を集積するコンベア（不図示）と、を備えている。
【００３１】
樹脂供給ダイ１０は、樹脂供給ダイ１０を厚み方向に貫通する複数の供給孔２０、２１を有している。その供給孔入口側表面１０ａには、複数の供給孔２０、２１の入口が、樹脂供給ダイ１０の長手方向に所定の間隔を空けてほぼ直線状に１列ずつ配列され、供給孔２０の入口の列と供給孔２１の入口の列とがほぼ平行になっている。その供給孔出口側表面１０ｂには、複数の供給孔２０、２１の出口が、これらの入口と同様に配列されている。供給孔２０、２１には、樹脂Ａ、Ｂを押出機等により溶融させた樹脂溶融液Ａ、Ｂがそれぞれ供給される。ここで、樹脂Ａ、Ｂは、異なる２種の樹脂である。異なる樹脂とは、異種の樹脂であるか、又は、物性の異なる同種の樹脂である。ここで、物性としては特に限定されないが、例えば、粘度、溶融温度、軟化点等の物理的物性や各種機械物性等が挙げられる。
【００３２】
本実施形態では複数の供給孔２０、２１は前述のように構成されているが、これに限定されず、例えば、供給孔入口側表面１０ａにおいて、供給孔２０、２１の各入口をそれぞれ連結して、樹脂供給ダイ１０の長手方向に延びる溝を構成してもよい。２つの溝に供給される樹脂溶融液Ａ、Ｂは、それぞれ一方の溝に繋がる供給孔２０及び他方の溝に繋がる供給孔２１を通って複数の導入孔２２、２３に供給される。
【００３３】
本実施形態では、口金本体１１と分配部材１２とにより口金が構成される。
口金本体１１は、樹脂供給ダイ１０の供給孔出口側表面１０ｂに接するように配置され、供給孔出口側表面１０ｂに接する導入孔入口側表面１１ａを有する断面視ほぼ板状である板部と、該板部の導入孔入口側表面１１ａとは反対側の面１１ｂの幅方向ほぼ中央部分には、板部に連続して繋がり、板部から離隔する方向に延びかつ断面視がほぼ五角形状である突出部と、よりなる。板部の導入孔入口側表面１１ａの幅方向ほぼ中央部分には、断面視がほぼＴ字状である凹部２５が形成され、突出部の板部から最も離隔する先端部分１１ｄには、口金本体１１（突出部）の長手方向に所定の間隔を空けて複数の紡糸孔２４が直線状に配列されている。
【００３４】
分配部材１２は断面視ほぼＴ字状の形状を有し、口金本体１１の凹部２５にほぼ隙間なく嵌入されている。そして、一方の端部では、そのＴ字状の短辺部分の表面（導入孔入口側表面１２ａ）が口金本体１１の入口側表面１１ａと同一面を構成して、樹脂供給ダイ１０の供給孔出口側表面１０ｂに当接し、他方の端部では、その導入孔出口側表面１２ｂが口金本体１１の紡糸孔入口側表面１１ｃに当接するように構成されている。このように構成することにより、分配部材１２の導入孔入口側表面１２ａ、導入孔出口側表面１２ｂ、樹脂供給ダイ１０の供給孔出口側表面１０ｂ、及び口金本体１１の紡糸孔入口側表面１１ｃをそれぞれ平面状に精度良く仕上げることが可能になるので、各表面の当接箇所での樹脂溶融液Ａ、Ｂの漏れを確実に防止できるという利点が得られる。
【００３５】
分配部材１２には、互いに離隔してほぼ平行に延び、分配部材１２を貫通する導入孔２２、２３が形成されている。図２に示すように、分配部材１２の導入孔入口側表面１２ａの幅方向中央部には、導入孔２２、２３の入口が、分配部材１２の長手方向に交互に直線状に配列されている。また、後述する図５（ａ）に示すように、分配部材１２の導入孔出口側表面１２ｂにおいても、該入口側表面１２ａに対応して導入孔２２、２３の出口が分配部材１２の長手方向に交互に直線状に配列されている。
【００３６】
このように構成することにより、樹脂溶融液Ａ、Ｂは分配板１２の内部に形成された導入孔２２、２３内を通るので、分配部材１２と凹部２５との間に多少の隙間が生じても、樹脂溶融液Ａ、Ｂが前記隙間に流入することはない。これにより、口金本体１１（特に凹部２５）及び分配部材１２の形状自由度が高くなり、口金本体１１及び分配部材１２の加工が容易になり、製造コストを顕著に低減化することができる。また、分配部材１２を凹部２５に対して着脱可能に構成できるので、メルトブローン用紡糸口金装置１全体としてのメンテナンス性を著しく高めることができる。また、導入孔２２、２３内の樹脂溶融液Ａ、Ｂの流れる方向と後述する紡糸孔２４からの樹脂溶融液の吐出方向とがほぼ一致するように設定できるので、紡糸をより円滑にかつより安定的に実施できる。
【００３７】
分配部材１２における樹脂供給ダイ１０との境界面（導入孔入口側表面１２ａ）には、導入孔２２、２３の入口と共に第１の溶融液分配路２６が設けられ、これにより、導入孔２２、２３がそれぞれ樹脂供給ダイ１０の供給孔２０、２１に連通し、樹脂溶融液Ａ、Ｂの選択的な供給（振り分け）を受けるように構成されている。
【００３８】
第１の溶融液分配路２６は、分配部材１２の導入孔入口側表面１２ａの幅方向両端から所定幅の周縁部を除いて分配部材１２の長手方向にほぼ平行に延びるように設けられ、供給孔２０、２１から樹脂溶融液Ａ、Ｂの供給を受ける所定幅の溶融液受給溝３０ａ、３０ｂと、溶融液受給溝３０ａ、３０ｂから分配部材１２の幅方向に分岐して導入孔２２、２３の入口に繋がる連結溝３１ａ、３１ｂと、よりなる。溶融液受給溝３０ａ、３０ｂ及び連結溝３１ａ、３１ｂは、分離隔壁３２により互いに離隔している。溶融液受給溝３０ａ、３０ｂ及び連結溝３１ａ、３１ｂは、分配部材１２の導入孔入口側表面１２ａの前記周縁部及び分離隔壁３２よりも低位になるように構成されているので、樹脂溶融液Ａ、Ｂの合流が阻止される。
【００３９】
第１の溶融液分配路２６によれば、供給孔２０、２１からそれぞれ溶融液受給溝３０ａ、３０ｂに供給された樹脂溶融液Ａ、Ｂが連結溝３１ａ、３１ｂを流れて導入孔２２、２３の入口に至るように構成されている。第１の溶融液分配路２６により、供給孔２０、２１から導入孔２２、２３への樹脂溶融液Ａ、Ｂの振り分けを容易かつ円滑に実施することができ、複数の樹脂Ａ、Ｂからなる異なる繊維Ａ、Ｂを所定のパターンで混繊し、得られる繊維製品中における繊維Ａ、Ｂの配置やそれぞれの含有量を調整することが可能になり、所定の特性や外観を有する繊維製品を作製することができる。
【００４０】
図３（ａ）〜（ｄ）は、それぞれ、第１の溶融液分配路２６の変形例である第１の溶融液分配路２６Ａ〜２６Ｄを示している。なお、これらの実施形態では、後述するように分配部材１２における導入孔２２、２３の配列パターンも変形されており、これにより、繊維Ａと繊維Ｂとを種々のパターンで混繊できるようになる。
【００４１】
図３（ａ）に示す第１の溶融液分配路２６Ａは、分配部材１２Ａにおける樹脂供給ダイ１０との境界面の幅方向ほぼ中央部に、２個の導入孔２２と１個の導入孔２３とが分配部材１２Ａの長手方向に交互に直線状に配列された実施形態において、溶融液受給溝３０ａ、３０ｂと、溶融液受給溝３０ａから分配部材１２Ａの幅方向に分岐し、２つ並んだ導入孔２２の各入口に別個に繋がる連結溝３１ａと、溶融液受給溝３０ｂから分配部材１２Ａの幅方向に分岐し、１つの導入孔２３の入口に繋がる連結溝３１ｂと、よりなる。分離隔壁３２Ａは、溶融液受給溝３０ａ、３０ｂ及び連結溝３１ａ、３１ｂを互いに離隔している。
【００４２】
図３（ｂ）に示す第１の溶融液分配路２６Ｂは、分配部材１２Ｂにおける樹脂供給ダイ１０との境界面の幅方向ほぼ中央部に、２個の導入孔２２と２個の導入孔２３とが分配部材１２Ｂの長手方向に交互に直線状に配列された実施形態において、溶融液受給溝３０ａ、３０ｂと、溶融液受給溝３０ａ、３０ｂから分配部材１２Ｂの幅方向に分岐し、２つ並んだ導入孔２２、２３の各入口に別個に繋がる連結溝３１ａ、３１ｂと、よりなる。分離隔壁３２Ｂは、溶融液受給溝３０ａ、３０ｂ及び連結溝３１ａ、３１ｂを互いに離隔している。
【００４３】
図３（ｃ）に示す第１の溶融液分配路２６Ｃは、分配部材１２Ａにおける樹脂供給ダイ１０との境界面の幅方向ほぼ中央部に、２個の導入孔２２と１個の導入孔２３とが分配部材１２Ａの長手方向に交互に直線状に配列された実施形態において、溶融液受給溝３０ａ、３０ｂと、溶融液受給溝３０ａから分配部材１２Ａの幅方向に分岐し、２つ並んだ導入孔２２の各入口に一体的に繋がる連結溝３１ｘと、溶融液受給溝３０ｂから分配部材１２Ａの幅方向に分岐し、１つの導入孔２３の入口に繋がる連結溝３１ｂと、よりなる。分離隔壁３２Ｃは、溶融液受給溝３０ａ、３０ｂ及び連結溝３１ｘ、３１ｂを互いに離隔している。
【００４４】
図３（ｄ）に示す第１の溶融液分配路２６Ｄは、分配部材１２Ｂにおける樹脂供給ダイ１０との境界面の幅方向ほぼ中央部に、２個の導入孔２２と２個の導入孔２３とが分配部材１２Ｂの長手方向に交互に直線状に配列された実施形態において、溶融液受給溝３０ａ、３０ｂと、溶融液受給溝３０ａ、３０ｂから分配部材１２Ｂの幅方向に分岐し、２つ並んだ導入孔２２、２３のそれぞれの各入口に一体的に繋がる連結溝３１ｘ、３１ｙと、よりなる。分離隔壁３２Ｄは、溶融液受給溝３０ａ、３０ｂ及び連結溝３１ｘ、３１ｙを互いに離隔している。
【００４５】
第１の溶融液分配路２６、２６Ａ〜２６Ｄが簡易な構造を有する分離隔壁３２、３２Ａ〜３２Ｄを用いて構成されることにより、メルトブローン用紡糸口金装置１の低コスト性や高メンテナンス性等を損なうことなく、樹脂溶融液Ａ、Ｂの振り分けパターンを増やすことができ、様々な特性や外観を有する繊維製品を容易に作製できる
【００４６】
本実施形態では、第１の溶融液分配路２６、２６Ａ〜２６Ｄは、分配部材１２、１２Ａ、１２Ｂにおける樹脂供給ダイ１０との境界面に設けられているが、これに限定されず、樹脂供給ダイ１０における分配部材１２、１２Ａ、１２Ｂとの境界面である供給孔出口側表面１０ｂに設けてもよい。また、本実施形態では、分離隔壁３２、３２Ａ〜３２Ｄを用いて第１の溶融液分配路２６、２６Ａ〜２６Ｄを構成しているが、これに限定されず、例えば、いずれかの境界面に所定の寸法を有する空間であるキャビティを設け、このキャビティに接続する供給孔又は導入孔の本数や位置を調整することにより、樹脂溶融液Ａ、Ｂを振り分けることもできる。
【００４７】
本実施形態では、供給孔２０内の樹脂溶融液Ａが導入孔２２に選択的に導入され、供給孔２１内の樹脂溶融液Ｂが導入孔２３に選択的に導入されるように、第１の溶融液分配路２６を設けているが、これに限定されず、分離隔壁やキャビティを備え、複数の樹脂の溶融液（本実施形態では樹脂溶融液Ａ、Ｂ）を合流させる合流手段を用いることもできる。
【００４８】
図４は、合流路３３を備える別形態の分配部材１２Ｃの構成を模式的に示す上面図である。分配部材１２Ｃは、分配部材１２Ｃにおける樹脂供給ダイ１０との境界面（導入孔入口側表面）に、第１の溶融液分配路２６と合流手段としての合流路３３とが該境界面の長手方向に所定の間隔を空けて交互に配列されている。また、本実施形態では、分離隔壁３２が合流阻止手段の機能を有しているので、分配部材１２Ｃの該境界面に合流手段と合流阻止手段とが混在している。
【００４９】
第１の溶融液分配路２６は、分配部材１２Ｃの入口側表面における幅方向のほぼ中央部に導入孔２２、２３の各入口が分配部材１２Ｃの長手方向に向けて交互にほぼ直線状に配列された実施形態において、供給孔２０、２１から樹脂溶融液Ａ、Ｂの供給を受ける溶融液受給溝３０ａ、３０ｂと、溶融液受給溝３０ａ、３０ｂから分岐して分配部材１２Ｃの長手方向に隣り合う一対の導入孔２２、２３の入口に繋がる連結溝３１ａ、３１ｂと、よりなる。これにより、一部の導入孔２２、２３には樹脂溶融液Ａ、Ｂがそれぞれ選択的に分配される。合流路３３は、分配部材１２Ｃの長手方向に隣り合う前記一対の導入孔２２、２３の両側に配置される導入孔２２又は導入孔２３の入口に連結溝３１ａ、３１ｂの両方が連結された流路である。これにより、一部の導入孔２２、２３には樹脂溶融液Ａ、Ｂが両方とも供給される。
【００５０】
本実施形態では、合流手段３３を設けることにより、樹脂Ａと樹脂Ｂとからなるサイドバイサイド型繊維を紡糸することが可能になる。また、本実施形態では、合流手段３３と、合流阻止手段として機能する分離隔壁３２とが混在してもよい。これにより、一部の導入孔２２、２３には樹脂溶融液Ａ、Ｂがそれぞれ選択的に供給され、残部の導入孔２２、２３には樹脂溶融液Ａ、Ｂが共に供給されるように構成できる。従って、繊維Ａと繊維Ｂとサイドバイサイド型繊維とを混繊させ、繊維製品に含まれる各繊維の量や配列、分散のさせ方を選択できるので、得られる繊維製品の機能の調整が容易になる。
【００５１】
このような合流手段又は合流手段と合流阻止手段とは、樹脂供給ダイ１０における分配部材１２との境界面、分配部材１２における樹脂供給ダイ１０との境界面、口金本体１１における分配部材１２との境界面、及び分配部材１２における口金本体１１との境界面から選ばれる少なくとも１つの境界面に設けることができる。
【００５２】
図５（ａ）は、分配部材１２における口金本体１１との境界面である導入孔出口側表面１２ｂの外観を概略的に示す平面図である。図５（ｂ）は、分配部材１２の導入孔２２、２３と口金本体１１の紡糸孔２４との接続を模式的に示すメルトブローン用紡糸口金装置１の長手方向の断面図である。図５（ａ）に示すように、分配部材１２の導入孔出口側表面１２ｂでは、その幅方向中央部に、導入孔２２、２３の各出口が所定の間隔を空けて分配部材１２の長手方向に交互にほぼ直線状に配列されている。
【００５３】
分配部材１２の導入孔出口側表面１２ｂに、図５（ｂ）に示すように口金本体１１の紡糸孔入口側表面１１ｃを密接させると、導入孔２２には比較的大きな径を有する１本の紡糸孔２４が接続され、導入孔２３には比較的小さな径を有する３本の導入孔２４が接続される。なお、紡糸孔２４の孔径は、いずれも導入孔２２、２３の孔径よりも小さくなっているが、導入孔２２、２３の紡糸孔２４と接続されていない部分は、口金本体１１の紡糸孔入口側表面１１ｃにより塞がれるので、この部分から樹脂溶融液Ａ、Ｂが漏れ出すことはない。
【００５４】
本実施形態では、導入孔２２に接続される１本の紡糸孔２４の径を、導入孔２３に接続される３本の紡糸孔２４の径よりも大きくなるように構成しているが、同径に構成してもよい。また、本実施形態では、導入孔２２に１本の紡糸孔２４を接続し、導入孔２３に複数の紡糸孔２４を接続しているが、これに限定されず、導入孔２２、２３の両方にそれぞれ１本又は複数の紡糸孔２４を接続してもよく、導入孔２２に複数の紡糸孔２４を接続しかつ導入孔２３に１本の紡糸孔２４を接続してもよい。
【００５５】
この構成により、導入孔２２内を流過する樹脂溶融液Ａは１本の紡糸孔２４から吐出され、樹脂Ａからなる比較的大きな径の繊維Ａが得られ、導入孔２３内を流過する樹脂溶融液Ｂは３本の紡糸孔２４から吐出され、樹脂Ｂからなる比較的小さな径の繊維Ｂが得られる。すなわち、１本の繊維Ａと３本の繊維Ｂとが長手方向に交互に並んで混繊される。これにより、導入孔２２、２３内を流過する樹脂溶融液Ａ、Ｂを所望の紡糸孔２４に振り分けて繊維化することが可能になるので、繊維Ａと繊維Ｂとを所望のパターンで混繊することが可能になり、種々の特性を有する繊維製品を容易に得ることができる。
【００５６】
図６（ａ）は、別形態の分配部材１６における口金本体１１との境界面である導入孔出口側表面１６ｂの外観を概略的に示す平面図である。図６（ｂ）は、分配部材１６の導入孔２２、２３と口金本体１１の紡糸孔２４との別形態の接続を模式的に示すメルトブローン用紡糸口金装置の長手方向の断面図である。図６（ａ）に示すように、分配部材１６の導入孔出口側表面１６ｂでは、その幅方向中央部に、導入孔２２、及び導入孔２３の出口に接続されたキャビティ３５（第２の溶融液分配路２７）の各出口が所定の間隔を空けて分配部材１６の長手方向に交互にほぼ直線状に配列されている。
【００５７】
第２の溶融液分配路２７は、分配部材１６における口金本体１１との境界面である導入孔出口側表面１６ｂに設けられ、導入孔２３に接続されて、導入孔２３の出口側孔径を拡大すると共に５本の紡糸孔２４が接続される空間であるキャビティ３５を備えている。キャビティ３５は、導入孔２３の分配部材１６の長手方向両側に隣り合う導入孔２２とは合流しないように所定の寸法で設けられる。導入孔２３を流過してきた樹脂溶融液Ｂは、キャビティ３５内に一旦貯留された後、瞬時に５本の紡糸孔２４に導入され、吐出及び紡糸される。なお、キャビティ３５の紡糸孔２４と接続されていない部分は、口金本体１１の紡糸孔入口側表面１１ｃにより塞がれるので、この部分から樹脂溶融液Ｂが漏れ出すことはない。
【００５８】
図７は、別形態の第２の溶融液分配路２８の構成を模式的に示す、メルトブローン用紡糸口金装置の長手方向の断面図である。図７に示す第２の溶融液分配路２８は、口金本体１１における分配部材１２との境界面である口金本体１１の紡糸孔入口側表面１１ｃに設けられ、一方では１本の導入孔２３及び他方では５本の紡糸孔２４が接続されるキャビティ３６を備えている。キャビティ３６は、樹脂溶融液Ａを導入する導入孔２２に接続された紡糸孔２４とは合流しないように設けられる。導入孔２３を流過してきた樹脂溶融液Ｂは、キャビティ３６内に一旦貯留された後、瞬時に５本の紡糸孔２４に導入され、吐出及び紡糸される。なお、キャビティ３６の導入孔２３と接続されていない部分は、分配部材１２の導入孔出口側表面１２ｂにより塞がれるので、この部分から樹脂溶融液Ｂが漏れ出すことはない。
【００５９】
このようなキャビティ３５、３６を備える第２の溶融液分配路２７、２８を設けることにより、第１の溶融液分配路２６、２６Ａ〜２６Ｄと同様の効果が得られると共に、このキャビティ３５、３６に複数の紡糸孔２４を接続できるので、所定の紡糸孔２４に樹脂溶融液Ａ、Ｂを振り分けることができる。したがって、繊維Ａと繊維Ｂとの混繊パターンをさらに増やすことができる。
【００６０】
図６（ｂ）及び図７に示す実施形態では、分配部材１２、１６の導入孔出口側表面１２ｂ、１６ｂ又は口金本体１１の紡糸孔入口側表面１１ｃにおいて、導入孔２３に接続されるキャビティ３５、３６を設けているが、これに限定されず、導入孔２２に接続されるキャビティを設けてもよい。更に、一部の導入孔２２、２３が合流するように、合流手段としてのキャビティを設けてもよい。また、本実施形態では、キャビティ３５、３６の出口形状はほぼ楕円形状又はほぼ長円形状となっているが、これに限定されず、ほぼ多角形、ひし形等の種々の形状とすることができる。
【００６１】
熱風噴射スリット１３、１４は、口金本体１１の先端部１１ｄからその板部に向けて、メルトブローン用紡糸口金装置１の中心線αに対して徐々に離隔する斜め方向に対称に延びる２つの斜面と、スリット幅調整板１５の前記２つの斜面に対してほぼ平行に延びる２つの斜面とにより構成される。中心線αは、口金本体１１の先端１１ｄを通り、樹脂供給ダイ１０の供給孔出口側表面１０ｂに対してほぼ垂直な仮想線である。熱風発生装置（不図示）より発生する熱風は、熱風供給溝１３ａ、１４ａ及び熱風噴射スリット１３、１４を介して、紡糸孔２４から吐出される繊維に対して所定の角度で噴射され、該繊維を所定の延伸度に延伸する。延伸された繊維は、混繊された状態でドラムやコンベア等の平坦な表面を有する集積手段上に集積され、繊維製品となる。
【００６２】
スリット幅調整板１５は、図示しない駆動手段により、口金本体１１に対して近接及び離隔可能に支持され、熱風噴射スリット１３、１４のスリット幅を調整する。熱風噴射スリット１３、１４のスリット幅は、例えば、樹脂溶融液Ａ、Ｂの種類や物性差等に応じて適宜調整される。
メルトブローン用紡糸口金装置１は、上記した各部材が所定の箇所でねじ止めされることにより、一体化されている。
【００６３】
本実施形態のメルトブローン用紡糸口金装置１によれば、複数の供給孔から複数の導入孔に供給される樹脂溶融液の振り分け、複数の導入孔から複数の紡糸孔に導入される樹脂溶融液の振り分けを樹脂溶融液の滞留やロスなく容易に実施できる。また、導入孔内の樹脂溶融液の流れる方向と紡糸孔からの樹脂溶融液の吐出方向とがほぼ一致するような導入孔の設計が容易であり、紡糸孔から吐出される繊維に対してほぼ対称な方向から乱流を発生させることなく熱風を噴射できることから、繊維間の融着に伴う繊維塊の発生や繊維径の不揃い、繊維内部への空気の噛み込み等を起こすことなく、精度良くかつ安定的な混繊を実現でき、様々な機能が付与され、高機能化された不織布等の繊維製品を製造できる。
【００６４】
図８は、本発明の第２実施形態であるメルトブローン用紡糸口金装置２の要部の構成を模式的に示す幅方向の断面図である。メルトブローン用紡糸口金装置２は、メルトブローン用紡糸口金装置１の変形例である。図８において、メルトブローン用紡糸口金装置１、２の共通部分については同一の参照符号を付して説明を省略する。
【００６５】
メルトブローン用紡糸口金装置２は、口金本体１１と分配部材１２とが一体化された口金１１Ａを備えることを特徴とし、それ以外の構成はメルトブローン用紡糸口金装置１と共通している。口金１１Ａにおける樹脂供給ダイ１０との境界面（導入孔入口側表面１１ｅ）には、第１の溶融液分配路２６が設けられ、供給孔２０、２１から導入孔２２、２３への樹脂溶融液Ａ、Ｂの振り分けが実施されている。このような構成でも、導入孔２２、２３（導入孔２３は不図示）が口金１１Ａの内部に形成されていることにより、口金１１Ａの形状自由度が高まり、製造コストの低減化を図ることができる。また、メルトブローン用紡糸口金装置１と同様の効果が得られる。
【００６６】
図９は、本発明の第３実施形態であるメルトブローン用紡糸口金装置３の要部の構成を模式的に示す幅方向の断面図である。メルトブローン用紡糸口金装置３は、メルトブローン用紡糸口金装置１の変形例である。図９において、メルトブローン用紡糸口金装置１、３の共通部分については同一の参照符号を付して説明を省略する。
【００６７】
メルトブローン用紡糸口金装置３は、樹脂供給ダイ１０における分配部材１２との境界面である供給孔出口側表面１０ｂに、第１の溶融液分配路２９が設けられていることを特徴とし、それ以外の構成はメルトブローン用紡糸口金装置１と同じである。
【００６８】
。
第１の溶融液分配路２９は、第１の溶融液分配路２６と同様に、樹脂供給ダイ１０の供給孔出口側表面１０ｂにおいて、樹脂供給ダイ１０の長手方向に延びて複数の供給孔２０、２１の出口を連結するように設けられ、供給孔２０、２１から樹脂溶融液Ａ、Ｂの供給を受ける所定幅の溶融液受給溝３７ａ、３７ｂと、溶液受給溝３７ａ、３７ｂから樹脂供給ダイ１０の幅方向に分岐して、導入孔２２、２３（導入孔２３は不図示）の入口に繋がる連結溝３８ａ、３８ｂ（連結溝３８ｂは不図示）と、よりなる。溶融液受給溝３７ａ、３７ｂ及び連結溝３８ａ、３８ｂは、樹脂溶融液Ａ、Ｂの合流を阻止するために、分離隔壁（不図示）により互いに離隔するように構成されている。溶融液受給溝３７ａ、３７ｂ及び連結溝３８ａ、３８ｂは、導入孔２２、２３の入口に繋がる部分を除いて、分配部材１２の導入孔入口側表面１２ａにより塞がれているので、溶融液受給溝３７ａ、３７ｂ及び連結溝３８ａ、３８ｂから樹脂溶融液Ａ、Ｂが漏れ出すことはない。このように構成しても、メルトブローン用紡糸口金装置１と同様の効果が得られる。
【００６９】
図１０は、本発明の第４実施形態であるメルトブローン用紡糸口金装置４の要部の構成を模式的に示す幅方向の断面図である。メルトブローン用紡糸口金装置４は、メルトブローン用紡糸口金装置１の変形例である。図１０において、メルトブローン用紡糸口金装置１、４の共通部分については同一の参照符号を付して説明を省略する。
【００７０】
メルトブローン用紡糸口金装置４は、分配部材１７を有することを特徴とし、それ以外の構成はメルトブローン用紡糸口金装置１と同じである。分配部材１７は、断面視ほぼＴ字状の形状を有し、分配部材１７における樹脂供給ダイ１０との境界面である導入孔入口側表面１７ａの幅方向両端から所定幅の周縁部を除いて分配部材１７の長手方向に互いに離隔してほぼ平行に延びる所定幅の溶融液受給溝４０ａ、４０ｂと、分配部材１７の内部において溶融液受給溝４０ａ、４０ｂにそれぞれ連通し、メルトブローン用紡糸口金装置４の中心線αに近接するように斜め方向に延びて互いに離隔する連結孔４１ａ、４１ｂ（連結孔４１ｂは不図示）と、一端が連結孔４１ａ、４１ｂかつ他端が複数の紡糸孔２４にそれぞれ連通し、互いに離隔して中心線αにほぼ平行に延びる導入孔４２、４３（導入孔４３は不図示）と、を備えている。
【００７１】
該装置４では、溶融液受給溝４０ａ、４０ｂと導入孔４２、４３とを連結する連結孔４１ａ、４１ｂが斜め方向に延びるように構成されているが、導入孔４２、４３が連結孔４１ａ、４１ｂに比べて十分に長くなっているので、導入孔４２、４３の出口付近での樹脂溶融液Ａ、Ｂの流過方向は、紡糸孔２４から樹脂溶融液Ａ、Ｂが吐出される方向とほぼ同方向になり、樹脂溶融液Ａ、Ｂは安定的に流れる。したがって、紡糸孔２４から吐出される樹脂溶融液Ａ、Ｂからなる繊維Ａ、Ｂは、熱風噴射スリット１３、１４から所定の角度で熱風の噴射を受け、所定の延伸度に延伸される。
【００７２】
本実施形態では、分配部材１７の導入孔入口側表面１７ａに溶融液受給溝４０ａ、４０ｂが設けられ、かつ、分配部材１７の内部で溶融液受給溝４０ａ、４０ｂと連結孔４１ａ、４１ｂとが連結され、供給孔２０、２１から導入孔４２、４３への樹脂溶融液Ａ、Ｂの選択的な供給を安定的にかつ容易に実施できるので、原料ロスを最小限に留めながら、繊維Ａと繊維Ｂとの所定パターンでの混繊を安定的かつ効率的に実施することができる。さらに、メルトブローン用紡糸口金装置１と同様の効果が得られる。
【００７３】
図１１は、本発明の第５実施形態であるメルトブローン用紡糸口金装置５の要部の構成を模式的に示す幅方向の断面図である。メルトブローン用紡糸口金装置５は、メルトブローン用紡糸口金装置４の変形例である。図１１において、メルトブローン用紡糸口金装置４、５の共通部分については同一の参照符号を付して説明を省略する。
【００７４】
メルトブローン用紡糸口金装置５は、分配部材１８を有することを特徴とし、それ以外の構成はメルトブローン用紡糸口金装置４と同じである。分配部材１８は、断面視ほぼＴ字状の形状を有し、分配部材１８における樹脂供給ダイ１０との境界面である導入孔入口側表面１８ａには、その幅方向両端から所定幅の周縁部を除いて分配部材１８の長手方向に互いに離隔してほぼ平行に延びる所定幅の溶融液受給溝４４ａ、４４ｂと、分配部材１８の内部において溶融液受給溝４４ａ、４４ｂにそれぞれ連通し、メルトブローン用紡糸口金装置５の中心線αに近接するように斜め方向に延びる連結孔４５ａ、４５ｂと、一端が連結孔４５ａ、４５ｂかつ他端が複数の紡糸孔２４にそれぞれ連通しかつ互いに離隔して中心線αにほぼ平行に延びる導入孔４６、４７と、を備えている。
【００７５】
さらに、分配部材１８は、導入孔４６、４７がこれらの出口付近で連結され、樹脂溶融液Ａ、Ｂが同時に紡糸孔２４に導入されるという特徴を有している。これにより、サイドバイサイド型繊維を混繊することが可能になる。本実施形態では、導入孔４６、４７を直接連結する合流手段が用いられている。
【００７６】
また、本実施形態では、一部の導入孔４６、４７を直接連結することなく、紡糸孔２４に直接連結するという合流阻止手段を設けることにより、サイドバイサイド型繊維、繊維Ａ及び繊維Ｂを混繊することが可能になる。これにより、得られる繊維製品の特性を容易に変更できるようになり、所望の特性を有する繊維製品を容易にかつ効率的に得ることができる。
【００７７】
以上、本発明の実施形態について説明したが、本発明はこうした実施例に何ら限定されるものではなく、例えば、樹脂供給ダイに異なる３種以上の樹脂の溶融液の供給を受ける供給孔をそれぞれ複数ずつ設け、それに対応して導入孔の数を増やすことにより、一度に３種以上の繊維を混繊させた繊維製品を得るメルトブローン用紡糸口金装置を構成すること等、本発明の要旨を逸脱しない範囲において種々なる形態で実施し得ることは勿論である。
【符号の説明】
【００７８】
１、２、３、４、５  メルトブローン用紡糸口金装置
１０  樹脂供給ダイ
１１  口金本体
１１Ａ  口金
１２、１２Ａ、１２Ｂ、１２Ｃ、１６、１７、１８  分配部材
１３、１４  熱風噴射スリット
１５  スリット幅調整板
２０、２１  供給孔
２２、２３、４２、４３、４６、４７  導入孔
２４  紡糸孔
２５  凹部
２６、２６Ａ〜２６Ｄ、２９  第１の溶融液分配路
２７、２８  第２の溶融液分配路
３０ａ、３０ｂ、３７ａ、３７ｂ、４０ａ、４０ｂ、４４ａ、４４ｂ  溶融液受給溝
３１ａ、３１ｂ、３１ｘ、３１ｙ、３８ａ、３８ｂ  連結溝
３２、３２Ａ、３２Ｂ、３２Ｃ、３２Ｄ  分離隔壁
３３  合流路
３５、３６  キャビティ
４１ａ、４１ｂ、４５ａ、４５ｂ  連結孔
【図１】
2015014065.tif 000003
【図２】
2015014065.tif 000004
【図３】
2015014065.tif 000005
【図４】
2015014065.tif 000006
【図５】
2015014065.tif 000007
【図６】
2015014065.tif 000008
【図７】
2015014065.tif 000009
【図８】
2015014065.tif 000010
【図９】
2015014065.tif 000011
【図１０】
2015014065.tif 000012
【図１１】
2015014065.tif 000013